(57)【要約】【課題】ソフトウエアを利用して単一画像を複数画像に分割し、並びにテレビウォールに出力する画像分割方法の提供。【解決手段】（Ａ）入力画像の四角形座標を包含する矩形データを読み取り、入力画像の解析度を計算する。（Ｂ）拡大倍数Ｎにより、Ｎ×Ｎ個の出力サブ画像のそれぞれの入力サンプリング位置を計算し、そのうちＮ×Ｎ個の出力サブ画像の解析度は入力画像の１／Ｎとし、Ｎは水平及び垂直方向の拡大倍数を代表し、Ｎ×Ｎ個の出力サブ画像を出力する。（ｃ）Ｎ×Ｎ個の出力サブ画像のそれぞれの入力サンプリング画像の中心位置を計算する。（Ｄ）ディスプレイ中のスケーラーの、入力画像の矩形データ及び解析度を包含するレジスタの値を設定し並びにディスプレイに出力する表示データ及び解析度を設定する。（Ｅ）ＯＳＤによりＮ×Ｎ個のディスプレイの配置位置を設定し、並びにＮ×Ｎ個の出力サブ画像をＮ×Ｎ個のディスプレイに表示する。【選択図】図２
2007089110.tif 000002
【特許請求の範囲】
【請求項１】
一つの入力画像を分割して複数の画像となし、さらに複数のディスプレイに表示するテレビウォール用画像分割方法であって、
（Ａ）入力画像の、四角形座標を包含する矩形データを読み取り、入力画像の解析度を計算するステップ、
（Ｂ）拡大倍数Ｎにより、Ｎ×Ｎ個の出力サブ画像のそれぞれの入力サンプリング位置を計算し、そのうちＮは水平及び垂直方向の拡大倍数を代表し、Ｎ×Ｎ個の出力サブ画像の解析度は入力画像の１／Ｎとするステップ、
（Ｃ）Ｎ×Ｎ個の出力サブ画像のそれぞれの入力サンプリング画像の中心位置を計算するステップ、
（Ｄ）ディスプレイ中のスケーラーの、入力画像の矩形データ及び解析度を包含するレジスタの値を設定し、並びにディスプレイに出力する表示データ及び解析度を設定するステップ、
（Ｅ）ＯＳＤによりＮ×Ｎ個のディスプレイの配置位置を設定し、並びにＮ×Ｎ個の出力サブ画像をＮ×Ｎ個のディスプレイに表示するステップ、
を包含したことを特徴とする、テレビウォール用画像分割方法。
【請求項２】
請求項１記載のテレビウォール用画像分割方法において、前記入力画像はＮ×Ｎ個のディスプレイのスケーラーにより個別にサンプリングして拡大し出力することを特徴とする、テレビウォール用画像分割方法。
【請求項３】
請求項１記載のテレビウォール用画像分割方法において、前記（Ａ）のステップ中、該入力画像は矩形画像とし、該矩形画像の解析度及び四角形座標の値は偶数とすることを特徴とする、テレビウォール用画像分割方法。
【請求項４】
請求項１記載のテレビウォール用画像分割方法において、前記（Ｂ）のステップ中、拡大倍数Ｎは整数とし、該入力画像を分割してＮ×Ｎ個の出力サブ画像となし、並びに該Ｎ×Ｎ個のディスプレイでサンプリングし拡大し出力することを特徴とする、テレビウォール用画像分割方法。
【請求項５】
請求項１記載のテレビウォール用画像分割方法において、前記（Ｄ）のステップ中、該入力画像の矩形デーータ、解析度を設定し、及び該Ｎ×Ｎ個のディスプレイの出力表示データ及び解析度を設定することを特徴とする、テレビウォール用画像分割方法。
【発明の詳細な説明】
【技術分野】
【０００１】
本発明は一種の画像分割方法に係り、特に単一画像を複数の画像に分割してテレビウォールに表示するための画像分割方法に関する。
【背景技術】
【０００２】
一般に見られるテレビウォールは、複数のテレビが組み合わされて共同で拡大画像を表示する。例えば、４台のテレビが共同で画面を表示するか、或いは９台のテレビが共同で画面を表示する。各テレビの配列組合せ後に、テレビウォール後端に一台のデジタル信号処理器が増設され、画像放送時に、画像をデジタル信号処理器に入力して信号分割処理を行った後、さらにテレビウォールに出力する。そのうち、デジタル信号処理器には複数の出力端子があり、複数の処理済みの分割画像を各テレビに出力できる。
【０００３】
上述のハードウエア回路を利用して画像を分割する方法は、拡大出力の効果を達成できるものの、実際の応用上は不便であり、まず、デジタル信号処理器をテレビに接続する時、各テレビはデジタル信号処理器の固定の位置に接続しなければならず、変更不能であり、このため配線が複雑となり間違えやすいという問題を起こす。且つデジタル信号処理器の先天的な制限のため、任意にテレビウォールの組合せを拡充することはできず、テレビウォールのサイズが固定されてしまい、使用者の必要により変更できず、且つデジタル信号処理器の価格は高く、このため周知のハードウエア回路を利用して画像を分割する方法は、多くの不便を形成し、改善の必要がある。
【発明の開示】
【発明が解決しようとする課題】
【０００４】
本発明の主要な目的は、テレビウォール用画像分割方法を提供することにあり、それは、ソフトウエアを利用して単一画像を分割してＮ×Ｎ個の出力サブ画像としてＮ×Ｎ個のディスプレイで構成したテレビウォールに出力する方法である。
【０００５】
上述の目的を達成するため本発明は、一つの入力画像を分割して複数の画像となし、さらに複数のディスプレイに表示するテレビウォール用画像分割方法を提供し、それは、（Ａ）入力画像の四角形座標を包含する矩形データを読み取り、入力画像の解析度を計算する。（Ｂ）拡大倍数Ｎにより、Ｎ×Ｎ個の出力サブ画像のそれぞれの入力サンプリング位置を計算し、そのうちＮ×Ｎ個の出力サブ画像の解析度は入力画像の１／Ｎとし、Ｎは水平及び垂直方向の拡大倍数を代表し、Ｎ×Ｎ個の出力サブ画像を出力する。（Ｃ）Ｎ×Ｎ個の出力サブ画像のそれぞれの入力サンプリング画像の中心位置を計算する。（Ｄ）ディスプレイ中のスケーラーの、入力画像の矩形データ及び解析度を包含するレジスタの値を設定し並びにディスプレイに出力する表示データ及び解析度を設定する。（Ｅ）ＯＳＤによりＮ×Ｎ個のディスプレイの配置位置を設定し、並びにＮ×Ｎ個の出力サブ画像をＮ×Ｎ個のディスプレイに表示する。以上の（Ａ）から（Ｅ）のステップを包含する。
【課題を解決するための手段】
【０００６】
請求項１の発明は、一つの入力画像を分割して複数の画像となし、さらに複数のディスプレイに表示するテレビウォール用画像分割方法であってとしている。
（Ａ）入力画像の、四角形座標を包含する矩形データを読み取り、入力画像の解析度を計算するステップ、
（Ｂ）拡大倍数Ｎにより、Ｎ×Ｎ個の出力サブ画像のそれぞれの入力サンプリング位置を計算し、そのうちＮは水平及び垂直方向の拡大倍数を代表し、Ｎ×Ｎ個の出力サブ画像の解析度は入力画像の１／Ｎとするステップ、
（Ｃ）Ｎ×Ｎ個の出力サブ画像のそれぞれの入力サンプリング画像の中心位置を計算するステップ、
（Ｄ）ディスプレイ中のスケーラーの、入力画像の矩形データ及び解析度を包含するレジスタの値を設定し、並びにディスプレイに出力する表示データ及び解析度を設定するステップ、
（Ｅ）ＯＳＤによりＮ×Ｎ個のディスプレイの配置位置を設定し、並びにＮ×Ｎ個の出力サブ画像をＮ×Ｎ個のディスプレイに表示するステップ、
を包含したことを特徴とする、テレビウォール用画像分割方法としている。
請求項２の発明は、請求項１記載のテレビウォール用画像分割方法において、前記入力画像はＮ×Ｎ個のディスプレイのスケーラーにより個別にサンプリングして拡大し出力することを特徴とする、テレビウォール用画像分割方法としている。
請求項３の発明は、請求項１記載のテレビウォール用画像分割方法において、前記（Ａ）のステップ中、該入力画像は矩形画像とし、該矩形画像の解析度及び四角形座標の値は偶数とすることを特徴とする、テレビウォール用画像分割方法としている。
請求項４の発明は、請求項１記載のテレビウォール用画像分割方法において、前記（Ｂ）のステップ中、拡大倍数Ｎは整数とし、該入力画像を分割してＮ×Ｎ個の出力サブ画像となし、並びに該Ｎ×Ｎ個のディスプレイでサンプリングし拡大し出力することを特徴とする、テレビウォール用画像分割方法としている。
請求項５の発明は、請求項１記載のテレビウォール用画像分割方法において、前記（Ｄ）のステップ中、該入力画像の矩形デーータ、解析度を設定し、及び該Ｎ×Ｎ個のディスプレイの出力表示データ及び解析度を設定することを特徴とする、テレビウォール用画像分割方法としている。
【発明の効果】
【０００７】
本発明のテレビウォール用画像分割方法は、ハードウエア回路を外付けする必要なくして、単一画像を複数画像に分割する目的を達成し、並びにコストダウン、配置が容易な長所を有する。
【発明を実施するための最良の形態】
【０００８】
本発明のテレビウォール用画像分割方法によると、テレビ内部のスケーラーにより、単一画像を複数のサブ画像に分割し、さらに各サブ画像をテレビウォールに表示する。図１に示されるのは、本発明の１（入力）対９（出力）画像分割のテレビウォール表示図である。図１から分かるように、本発明の画像分割方法を利用し、単一画像を水平及び垂直にそれぞれ３倍に拡大した後、原入力画像を９個のサブ画像に分割し、９個のサブ画像を９個のディスプレイに表示し、単一画像を９倍に拡大し出力する。
【０００９】
図２及び図３は本発明のテレビウォール用画像分割方法のフローチャートとシステム構造図である。それによると、入力画像３１を信号分配器で複数の入力画像としてディスプレイ３２に入力し、並びにディスプレイ内部のスケーラー（ｓｃａｌｅｒ）でそれぞれサンプリング処理し、表示サブ画像を拡大する。この方法は以下のステップを包含する。
【００１０】
まず、該入力画像の矩形データを読み取る。この矩形データは該画像の四角形座標を包含する。並びに入力画像の解析度を計算する（ステップＳ２０１）。そのうち、入力画像３１は矩形画像とされ、それは四角形座標値及び一つの解析度値を包含する。例えば、入力画像３１の解析度が（６６２×４４２）、入力画像３１の四角形座標が（０，０，６６２，４４２）であれば、それはそれぞれ入力画像の幅及び高さ位置（左（Ｌｅｆｔ）、上（Ｔｏｐ）、右（Ｒｉｇｈｔ）、下（Ｂｏｔｔｏｍ））を代表する。
【００１１】
続いて、画像拡大のため、該入力画像３１の解析度を下げる調整を行わねばならない。そのうち、画像フレームの字体が小さくなるほど、その解析度は高くなることを表す。画像フレームの字体が大きくなるほど、その解析度は低くなることを表す。これにより、該入力画像３１をＮ（水平／垂直方向）倍するためには、該入力画像３１の各入力サンプリング位置及び解析度の値をもとの画像の１／Ｎ倍となす調整が必要である。
【００１２】
これにより、拡大倍数Ｎにより、Ｎ×Ｎ個の出力サブ画像のそれぞれの入力サンプリング位置及び解析度を計算する。そのうち、該Ｎは水平及び垂直方向の拡大倍数を代表し、出力するＮ×Ｎ個の出力サブ画像の解析度はもとの画像の１／Ｎとされる（ステップＳ２０２）。そのうち、各サブ画像のサイズ、解析度はいずれも同じであるが、入力画像のサンプリング位置は異なる。例えば、入力画像を３倍（水平／垂直方向）に拡大（ｚｏｏｍ  ｉｎ）するなら、入力画像３１の解析度はもとの１／３となり、入力画像３１の解析度が（６６２×４４２）であれば、それを３倍に拡大後は（２２０×１４６）となる。もとの入力画像３１の四角形座標が（０，０，６６２，４４２）であれば、その３倍拡大後には（０，０，２２０，１４６）となる。本実施例では、解析度及び四角形座標の値はいずれも偶数とされる。
【００１３】
このＮ×Ｎ個の出力サブ画像それぞれの入力サンプリング画像の中心位置を計算する（ステップＳ２０３）。そのうち、入力画像３１はＮ倍（水平／垂直方向）に拡大され且つＮ×Ｎ個のサブ画像に分割されて出力され、これにより、出力時には、各サブ画像入力時のサンプリング中心位置を計算して各サブ画像を拡大してテレビウォールに出力する必要がある。各サブ画像のサンプリング中心点位置は各サブ画像サンプリング時の水平／垂直中心座標（中心位置）を代表する。本実施例では、９個のサブ画像の中心点位置は、それぞれ、
１．（ＨｐｏｓｉｔｉｏｎＭｉｎ，ＶｐｏｓｉｔｉｏｎＭｉｎ）
２．（ＨｐｏｓｉｔｉｏｎＭｉｄ，ＶｐｏｓｉｔｉｏｎＭｉｎ）
３．（ＨｐｏｓｉｔｉｏｎＭａｘ，ＶｐｏｓｉｔｉｏｎＭｉｎ）
４．（ＨｐｏｓｉｔｉｏｎＭｉｎ，ＶｐｏｓｉｔｉｏｎＭｉｄ）
５．（ＨｐｏｓｉｔｉｏｎＭｉｄ，ＶｐｏｓｉｔｉｏｎＭｉｄ）
６．（ＨｐｏｓｉｔｉｏｎＭａｘ，ＶｐｏｓｉｔｉｏｎＭｉｄ）
７．（ＨｐｏｓｉｔｉｏｎＭｉｎ，ＶｐｏｓｉｔｉｏｎＭａｘ）
８．（ＨｐｏｓｉｔｉｏｎＭｉｄ，ＶｐｏｓｉｔｉｏｎＭａｘ）
９．（ＨｐｏｓｉｔｉｏｎＭａｘ，ＶｐｏｓｉｔｉｏｎＭａｘ）
とされる。
【００１４】
本実施例では、入力画像３１の解析度が（６６２×４４２）であれば、水平／垂直にそれぞれ３倍拡大後、その解析度は（２２０×１４６）となり、その９台のテレビに出力される９個のサンプリングサブ画像の中心点位置はそれぞれ、
１．（１１０，７３）    ２．（３３１，７３）    ３．（５５２，７３）
４．（１１０，２２１）  ５．（３３１，２２１）  ６．（５５２，２２１）
７．（１１０，３６９）  ８．（３３１，３６９）  ９．（５５２，３６９）
となる。
【００１５】
続いて、ディスプレイ中のスケーラー（Ｓｃａｌｅｒ）のレジスタの値を設定し、それは、該入力画像の矩形データ及び解析度を包含し、並びに、該ディスプレイの出力表示データ及び解析度を設定する（ステップＳ２０４）。
【００１６】
最後にＯＳＤでＮ×Ｎ個のディスプレイの配置位置をそれぞれ設定し、並びにＮ×Ｎ個の出力サブ画像をＮ×Ｎ個のディスプレイに表示する（ステップＳ２０５）。そのうち、各ディスプレイ３２中にそれぞれスケーラーが設けられ、スケーラーは入力されたサンプリング画像のサンプリング位置及びサンプリング解析度により、ディスプレイ中のスケーラーのレジスタの値を設定して画像を拡大し、スクリーンに表示する。
【００１７】
上述の実施例は本発明を説明するために提示されたものにすぎず、本発明の主張する権利範囲は特許請求の範囲に記載に準じるものとし、上述の実施例に限定されない。
【図面の簡単な説明】
【００１８】
【図１】本発明の実施例の１（入力）対９（出力）画像分割のテレビウォール表示図である。
【図２】本発明の本発明のテレビウォール用画像分割方法のフローチャートである。
【図３】本発明の本発明のテレビウォール用画像分割方法のシステム構造図である。
【符号の説明】
【００１９】
３１  入力画像          ３２  ディスプレイ
【図１】
2007089110.tif 000003
【図２】
2007089110.tif 000004
【図３】
2007089110.tif 000005